(57)【要約】      （修正有）【課題】着脱の操作が簡単な灯具を提供する。【解決手段】灯具は、放熱装置１１及びソケット１２を具備する本体部１０と、ソケット１２の底部に取り付けられる発光モジュール２０と、ソケット１２をカバーするカバー本体３１及び該カバー本体３１内に取り付けられるスプリング３２を具備するソケットカバーモジュール３０と、反射カバーとを含む。ソケット１２はラッパ状の構造を有し、ソケット１２の底部は縦方向の短軸と横方向の長軸を有する。反射カバーを所定の角度に傾けた後にソケット１２の底部に取り付け、カバー本体３１内のスプリング３２により、カバー本体３１を本体部１０に相対して上下へ移動させることができ、カバー本体３１は下方から取り付けられた反射カバーをソケット１２の底部に弾性力により取り付け、手で固着力をコントロールする必要がなく反射カバーを容易に着脱することができる。【選択図】図３
0003209323.tif 000002
【実用新案登録請求の範囲】
【請求項１】
灯具であって、
放熱装置と該放熱装置の底部に取り付けられるソケットとを含む本体部であって、前記放熱装置の底部には凸縁が外部へ延伸しており、前記ソケットはラッパ状の構造を有し、前記ソケットの底部は縦方向の短軸と横方向の長軸を有する本体部と、
前記ソケットの底部に取り付けられる発光モジュールと、
前記ソケットをカバーするカバー本体と該カバー本体内に取り付けられるスプリングとを含むソケットカバーモジュールであって、前記カバー本体の第一端は前記凸縁の上部に当接し、前記スプリングの第一端は前記凸縁の下部に当接し、前記スプリングの第二端は前記カバー本体の第二端に当接するソケットカバーモジュールと、
反射カバーであって、その頂部は径方向に延伸した取り付け部と該取り付け部の内縁から軸方向の上方向に延伸した嵌入部とを含み、該嵌入部の内径は前記ソケットの底部の長軸より小さく、かつ前記短軸より大きい反射カバーとを含み、
灯具を組み立てるとき、前記本体部に相対して前記カバー本体を上方へ移動させることにより前記スプリングを圧縮し、前記本体部に相対して前記反射カバーを所定の角度に傾けた後、移動させて前記ソケットをカバーさせ、前記ソケットの底部が前記反射カバーの取り付け部に嵌入されると、反射カバーを正常な角度へ戻し、このとき前記カバー本体を放すと、前記スプリングの反発力によって下方へ移動させ前記反射カバーに当接させることにより、反射カバーの頂部を固定することを特徴とする灯具。
【請求項２】
前記灯具は制御モジュールと電気線を更に含み、前記放熱装置の側部には収納槽が形成され、前記制御モジュールは前記収納槽内に収納され、前記収納槽内には前記ソケットを貫通する通路が形成され、前記電気線は前記通路に挿入され、この両端はそれぞれ前記発光モジュールと前記制御モジュールに電気的に接続されることを特徴とする請求項１に記載の灯具。
【請求項３】
前記制御モジュールはＰＣＢ基板と該ＰＣＢ基板上に配置される電子部品とを含むことを特徴とする請求項２に記載の灯具。
【請求項４】
前記発光モジュールは支持板と該支持板上に取り付けられる複数のＬＥＤランプとを含むことを特徴とする請求項２に記載の灯具。
【請求項５】
前記灯具は前記収納槽内に係合される保護カバーを更に含み、前記制御モジュールは前記保護カバー内に設けられることを特徴とする請求項２に記載の灯具。
【請求項６】
前記灯具は配線用管体を更に含み、前記配線用管体の一端は前記収納槽と連通するように前記放熱装置の頂部に固定連結されることを特徴とする請求項２に記載の灯具。
【請求項７】
前記灯具は前記放熱装置をカバーする放熱カバーを更に含み、前記放熱カバーの第一端には外部へ曲げられた屈折部が形成され、前記屈折部は前記凸縁の上部に当接し、前記カバー本体の第一端は前記屈折部に当接し、前記放熱カバーの第二端には前記配線用管体を通す貫通孔が形成されることを特徴とする請求項６に記載の灯具。
【請求項８】
前記カバー本体の第一端には内部へ延伸した第一湾曲部が形成され、該第一湾曲部の第一端は前記凸縁の上部に当接することを特徴とする請求項１に記載の灯具。
【請求項９】
前記カバー本体の第二端には内部へ延伸した第二屈折部が形成され、前記スプリングの第二端は前記第二屈折部に当接することを特徴とする請求項１または８に記載の灯具。
【請求項１０】
灯具であって、
放熱装置と該放熱装置の底部に取り付けられるソケットとを含む本体部であって、前記放熱装置の底部には凸縁が外部へ延伸しており、前記ソケットはラッパ状の構造を有し、前記ソケットの底部は縦方向の短軸と横方向の長軸を有する本体部と、
前記ソケットの底部に取り付けられる発光モジュールと、
前記ソケットをカバーするカバー本体と該カバー本体内に取り付けられるスプリングとを含むソケットカバーモジュールであって、前記スプリングは前記ソケットの周囲を囲み、前記カバー本体は対向する第一端と第二端を含み、該第一端と第二端には内部へ延伸した環状部が形成され、前記カバー本体の第二端の内径は前記ソケットの底部の長軸より大きく、前記カバー本体の第一端は前記凸縁の上部に当接し、前記スプリングは前記凸縁と前記カバー本体の第二端との間に取り付けられるソケットカバーモジュールと、
反射カバーであって、その頂部は径方向に延伸した取り付け部と該取り付け部の内縁から軸方向の上方向に延伸した嵌入部とを含み、該嵌入部の内径が前記ソケットの底部の長軸より小さくかつ前記短軸より大きいことにより、該嵌入部は所定の角度に傾けられて前記ソケットを通過させ前記反射カバー内に入らせるように構成された反射カバーとを含むことを特徴とする灯具。
【考案の詳細な説明】
【技術分野】
【０００１】
本考案は、照明装置に関し、特に自動ロック式反射カバー付き灯具に関するものである。
【背景技術】
【０００２】
従来の灯具において、反射カバーは通常、ネジ結合によってソケット上に取り付けられ、反射カバーを取り付けるとき、これを回転させなければならない。反射カバーを回転させるとき、ソケットが連動することを避けるため、ソケットまたは反射カバーを握りしめる必要があるので、着脱の操作が煩瑣である。また、操作員の力が異なることにより、壊れるおそれがある。
【考案の概要】
【考案が解決しようとする課題】
【０００３】
上述した問題を解決するため、着脱の操作が簡単であり、手で固着の力をコントロールする必要がなく容易に着脱できる灯具を提供する必要がある。
【課題を解決するための手段】
【０００４】
本考案の灯具は、
放熱装置と該放熱装置の底部に取り付けられるソケットとを含む本体部であって、前記放熱装置の底部には凸縁が外部へ延伸しており、前記ソケットはラッパ状の構造を有し、前記ソケットの底部は縦方向の短軸と横方向の長軸を有する本体部と、
前記ソケットの底部に取り付けられる発光モジュールと、
前記ソケットをカバーするカバー本体と該カバー本体内に取り付けられるスプリングとを含むソケットカバーモジュールであって、前記カバー本体の第一端は前記凸縁の上部に当接し、前記スプリングの第一端は前記凸縁の下部に当接し、前記スプリングの第二端は前記カバー本体の第二端に当接するソケットカバーモジュールと、
反射カバーであって、その頂部は径方向に延伸した取り付け部と該取り付け部の内縁から軸方向の上方向に延伸した嵌入部とを含み、該嵌入部の内径は前記ソケットの底部の長軸より小さく、かつ前記短軸より大きい反射カバーとを含み、
灯具を組み立てるとき、前記本体部に相対して前記カバー本体を上方へ移動させることにより前記スプリングを圧縮し、前記本体部に相対して前記反射カバーを所定の角度に傾けた後、移動させて前記ソケットをカバーさせ、前記ソケットの底部が前記反射カバーの取り付け部に嵌入されると、反射カバーを正常な角度へ戻し、このとき前記カバー本体を放すと、前記スプリングの反発力によって下方へ移動させて前記反射カバーに当接させることにより、反射カバーの頂部を固定する。
【０００５】
本考案のいずれか１つの実施例において、前記灯具は制御モジュールと電気線を更に含み、前記放熱装置の側部には収納槽が形成され、前記制御モジュールは前記収納槽内に収納される。前記収納槽内には前記ソケットを貫通する通路が形成され、前記電気線は前記通路に挿入され、この両端はそれぞれ前記発光モジュールと前記制御モジュールに電気的に接続される。
【０００６】
本考案の灯具において、反射カバーを所定の角度に傾けた後ソケットの底部に取り付け、カバー本体内のスプリングにより、カバー本体を本体部に相対して上下へ移動させることができ、カバー本体は下方から取り付けられた反射カバーをソケットの底部に弾性によって取り付けることができるので、手で固着力をコントロールする必要がなく反射カバーを容易に着脱することができる。
【０００７】
本考案のいずれか１つの実施例において、前記制御モジュールはＰＣＢ基板と該ＰＣＢ基板上に配置される電子部品とを含む。
【０００８】
本考案のいずれか１つの実施例において、前記発光モジュールは支持板と該支持板上に取り付けられる複数のＬＥＤランプとを含む。
【０００９】
本考案のいずれか１つの実施例において、前記灯具は前記収納槽内に係合される保護カバーを更に含み、前記制御モジュールは前記保護カバー内に設けられる。
【００１０】
本考案のいずれか１つの実施例において、前記灯具は配線用管体を更に含み、前記配線用管体の一端は前記収納槽と連通するように前記放熱装置の頂部に固定連結されている。
【００１１】
本考案のいずれか１つの実施例において、前記灯具は前記放熱装置をカバーする放熱カバーを更に含み、前記放熱カバーの第一端には外部へ曲げられた屈折部が形成され、前記屈折部は前記凸縁の上部に当接し、前記カバー本体の第一端は前記屈折部に当接し、前記放熱カバーの第二端には前記配線用管体を通す貫通孔が形成される。
【００１２】
本考案のいずれか１つの実施例において、前記カバー本体の第一端には内部へ延伸した第一屈折部が形成され、該第一屈折部の第一端は前記凸縁の上部に当接する。
【００１３】
本考案のいずれか１つの実施例において、前記カバー本体の第二端には内部へ延伸した第二屈折部が形成され、前記スプリングの第二端は前記第二屈折部に当接する。
【００１４】
灯具であって、
放熱装置と該放熱装置の底部に取り付けられるソケットとを含む本体部であって、前記放熱装置の底部には凸縁が外部へ延伸しており、前記ソケットはラッパ状の構造を有し、前記ソケットの底部は縦方向の短軸と横方向の長軸を有する本体部と、
前記ソケットの底部に取り付けられる発光モジュールと、
前記ソケットをカバーするカバー本体と該カバー本体内に取り付けられるスプリングとを含むソケットカバーモジュールであって、前記スプリングは前記ソケットの周囲を囲み、前記カバー本体は互いに反対方向に向かう第一端と第二端を含み、該第一端と第二端には内部へ延伸した環状部が形成され、前記カバー本体の第二端の内径は前記ソケットの底部の長軸より大きく、前記カバー本体の第一端は前記凸縁の上部に当接し、前記スプリングは前記凸縁と前記カバー本体の第二端との間に取り付けられるソケットカバーモジュールと、
反射カバーであって、その頂部は径方向に延伸した取り付け部と該取り付け部の内縁から軸方向の上方向に延伸した嵌入部とを含み、該嵌入部の内径は前記ソケットの底部の長軸より小さくかつ前記短軸より大きいことにより、該嵌入部は所定の角度に傾けられて前記ソケットを通過させ前記反射カバー内に入らせるように構成された反射カバーとを含む。
【図面の簡単な説明】
【００１５】
【図１】本考案の好適な実施例の灯具の構造を示す図である。
【図２】図１の灯具を示す断面図である。
【図３】図１の灯具を示す斜視分解図である。
【図４】図３の本体部を示す平面図である。
【図５】反射カバーが分解且つ傾斜の状態になっている灯具を示す断面図である。
【図６】カバー本体が本体部に相対して上へ移動することを示す図である。
【図７】本体部に相対して反射カバーを所定の角度に傾けた後、移動させることによりソケットをカバーすることを示す図である。
【図８】カバー本体を外した後下方へ移動させることを示す図である。
【考案を実施するための形態】
【００１６】
本考案をよく理解してもらうため、以下、図面を参照しながら本考案の実施例をより詳細に説明する。図面には本考案の好適な実施例が示されているが、本考案は異なる実施形態によって実施することができ、本考案の構成は下記実施例にのみ限定されるものでない。下記実施例を示す目的は、本考案の技術的事項をより詳細に理解してもらうことにある。
【００１７】
図１ないし図８に示すとおり、本考案の好適な実施例の灯具１００は、本体部１０と、発光モジュール２０と、ソケットカバーモジュール３０と、反射カバー４０と、透光カバー５０と、制御モジュール６０と、電気線（図示せず）と、保護カバー７０と、放熱カバー８０と、配線用管体９０とを含む。
【００１８】
本体部１０は放熱装置１１と該放熱装置１１の底部に取り付けられるソケット１２とを含み、放熱装置１１の底部には凸縁１１１が外部へ延伸している。ソケット１２はラッパ状の構造を有し、ソケット１２の底部の輪郭は略楕円形である。ソケット１２の底部は縦方向の短軸Ａと横方向の長軸Ｂを有し、短軸Ａの長さは長軸Ｂの長さより小さい。本実施例において、放熱装置１１とソケット１２は一体に成型されているが、他の実施例において、放熱装置１１とソケット１２はネジ結合、係合構造などによって一体に組み立てられるようにしてもよい。
【００１９】
放熱装置１１の側部には収納槽１１２が形成され、制御モジュール６０はＰＣＢ基板６１と該ＰＣＢ基板６１上に配置される電子部品６２とを含み、ＰＣＢ基板６１と電子部品６２は収納槽１１２内に収納される。保護カバー７０は収納槽１１２内に係合され、制御モジュール６０は保護カバー７０内に設けられる。
【００２０】
発光モジュール２０は支持板２１と該支持板２１上に取り付けられる複数のＬＥＤランプ２２とを含む。例えば、ネジ結合部品によって支持板２１をソケット１２の底部に取り付け、或いは粘着手段によって支持板２１をソケット１２の底部に接着させることができる。好ましくは、支持板２１は印刷回路基板である。透光カバー５０はソケット１２の底部に結合される。
【００２１】
発光モジュール２０と制御モジュール６０との間の電気的接続を実現するため、収納槽１１２内にはソケット１２を貫通する通路が形成されている。電気線は前記通路に挿入され、電気線の両端はそれぞれ発光モジュール２０と制御モジュール６０に電気的に接続される。
【００２２】
ソケットカバーモジュール３０は、ソケット１２をカバーするカバー本体３１と、該カバー本体３１内に取り付けられるスプリング３２とを含み、スプリング３２はソケット１２の周囲を囲む。カバー本体３１の第一端は凸縁１１１の上部に当接し、スプリング３２の第一端は凸縁１１１の下部に当接し、スプリング３２の第二端はカバー本体３１の第二端に当接する。
【００２３】
カバー本体３１の第一端には内部へ延伸した第一環状部が形成され、カバー本体３１の第二端には内部へ延伸した第二環状部が形成されている。具体的な実施例において、第一環状部はカバー本体３１の第一端の辺縁から内部へ曲げられて形成された第一屈折部３１１であり、第一屈折部３１１が凸縁１１１の上部に当接することにより、カバー本体３１の落下を防止することができる。第二環状部はカバー本体３１の第二端の辺縁から内部へ曲げられて形成された第二湾曲部３１２であり、スプリング３２の第二端が第二湾曲部３１２に当接することにより、スプリング３２がカバー本体３１の内部から落下することを防止することができる。
【００２４】
放熱カバー８０は放熱装置１１をカバーし、放熱カバー８０の第一端には外部へ曲げられた屈折部８１が形成される。前記屈折部８１は凸縁１１１の上部に当接し、カバー本体３１の第一湾曲部３１１は湾曲部８１に当接する。放熱カバー８０の第二端には配線用管体９０を通す貫通孔が形成され、配線用管体９０の一端は貫通孔を通った後、収納槽１１２と連通するように放熱装置１１の頂部に固定連結される。したがって、外部の電気線は配線用管体９０を通って制御モジュール６０に電気的に接続されることができる。
【００２５】
反射カバー４０の頂部は、径方向に延伸した取り付け部４１と、該取り付け部４１の内縁から軸方向の上方向に延伸した嵌入部４２とを含む。前記嵌入部４２の内径Ｃは、ソケット１２の底部の長軸Ｂより小さく、かつ短軸Ａより大きい。
【００２６】
図５ないし図８を参照する。灯具を組み立てるとき、本体部１０に相対してカバー本体３１をＥ１方向に移動させることにより、スプリング３２を圧縮する。本体部１０に相対して反射カバー４０を所定の角度に傾けた後、Ｅ２方向に移動させることにより、ソケット１２をカバーさせる。ソケット１２の底部が反射カバー４０の取り付け部４１に嵌入されると、反射カバー４０を正常な角度へ戻す。このとき、カバー本体３１は放されると、スプリング３２の反発力によってＥ３方向へ移動し反射カバー４０に当接するので、反射カバー４０の頂部を固定することができる。注意されたいことは、本体部１０に相対して反射カバー４０を所定の角度に傾けるとき、嵌入部４２の内径Ｃはソケット１２の底部の長軸Ｂが前記所定の角度に投影されて得た幅Ｄより大きいので、傾けられた反射カバー４０をソケット１２の底部に取り付けることができる。
【００２７】
本考案の灯具１００において、反射カバー４０を所定の角度に傾けた後ソケット１２の底部に取り付け、カバー本体３１内のスプリング３２により、カバー本体３１は本体部１０に相対して上下へ移動することができ、カバー本体３１は下方から取り付けられた反射カバー４０をソケット１２の底部に固定させることができる。したがって、手で固着力をコントロールする必要なく反射カバー４０を容易に着脱することができる。
【００２８】
以上、上述した複数の実施例により本考案の好適な実施形態を詳述してきたが、本考案の構成は前記実施例にのみ限定されるものでない。注意されたいことは、本技術分野の当業者は本考案の要旨を逸脱しない範囲内で設計の変換等を行うことができ、このような設計の変更等があっても本考案に含まれることは勿論である。本考案の保護範囲は実用新案登録請求の範囲が定めたものを基準にする。
【図１】
0003209323.tif 000003
【図２】
0003209323.tif 000004
【図３】
0003209323.tif 000005
【図４】
0003209323.tif 000006
【図５】
0003209323.tif 000007
【図６】
0003209323.tif 000008
【図７】
0003209323.tif 000009
【図８】
0003209323.tif 000010